(57)【要約】【課題】写真から背景を切除して、被写体を際立たせたパネル状の写真人形体と製法を提供する。【解決手段】写真を利用した人形体であって、人物や動物等の写真を樹脂板又は厚紙に貼付又は印刷して写真パネルにする工程と、前記写真パネルを電光走査して人物等の絵柄輪郭線を抽出する工程と、レーザー切断機で前記写真パネルを、前記抽出した絵柄輪郭線で切断して背景を除去する工程と、背景を切除してなる写真人形体を起立保持、又は吊り下げ保持、又は磁着保持するための保持部を形成する工程からなる。【選択図】図４
2011083299.tif 000002
【特許請求の範囲】
【請求項１】
樹脂板又は厚紙に人物や動物等の写真を貼付又は印刷し、写真被写体の絵柄輪郭に沿って背景を除去し、被写体を際立たせた事を特徴とするパネル状写真人形体であって、写真を樹脂板又は厚紙からなる背板に貼付又は印刷して写真パネルにする工程と、写真被写体の絵柄輪郭を輪郭線データとして抽出する工程と、前記写真パネルを前記輪郭線データに沿って、レーザー切断機で絵柄と同形又は相似形に切断して背景を除去する工程と、当該写真人形体を起立保持、又は吊り下げ保持、又は磁着保持する為の保持部を設ける工程からなる写真人形体とその製法。
【請求項２】
前記背板を樹脂板又は厚紙に代え透明樹脂版を用いる請求項１記載の写真を利用した人形体及び製法。
【発明の詳細な説明】
【技術分野】
【０００１】
本発明は、人物及び動物等の写真を利用した人形体及び製法に関する。
【背景技術】
【０００２】
スナップ写真等の日常的な写真の主題は、その多くが家族等の人物写真や、近年ではペットなどの動物写真である。これらの写真は額装して壁に飾ったりアルバム等に纏めたりする事が一般的だが、これ等とは異なる新規な利用法が望まれていた。
【０００３】
前記一般的な利用以外の例として、写真の一部を切取り装飾片として利用する例や、顔や身体の写真を加工して玩具やマスコット人形として利用する例があるが、これらは写真の部分的な活用にとどまっている。
また全身写真を表現した例として、等身大に印刷して立て看板や広告体に活用する例があるが、これらは使用目的や設置場所が限られ製作費用も安価では無く、気軽に利用できるものではない。
【先行技術文献】
【特許文献】
【０００４】
【特許文献１】特開２０００−１７７２９８号広報
【特許文献２】実用新案登録第３１１４６８７号広報
【特許文献３】特開平５−３４５０７７号広報
【特許文献４】特開平２００３−７６２８５号広報
【特許文献５】実用新案登録第３１３３７５６号広報
【発明の概要】
【発明が解決しようとする課題】
【０００５】
解決しようとする問題点は、前記の様な事情に鑑み、日常写真の活用法において、写真被写体の持つイメージを損なわず、製作が容易で安価な写真人形を提供する事である。
【課題を解決するための手段】
【０００６】
本発明は、人物や動物等のスナップ写真を貼付又は印刷した写真パネルを電光走査して人物や動物の絵柄輪郭線を抽出し、レーザー切断機で微細な絵柄輪郭線に忠実に背景を切除する事を特徴とする。
【０００７】
また第２の課題解決手段は、写真を貼付又は印刷する背板に透明板を使用する事で、写真の切断位置と背板の切断位置をずらす事が出来る為、写真パネルの輪郭線の微細さを緩和でき、写真パネルの強度を保てる事を特徴とする。
【発明の効果】
【０００８】
本発明は、従来の背景のある絵としての写真とは異なり、被写体のイメージが際立つため、パネル状でありながら立体的でインパクトのある印象を見る者に与える。また被写体の姿勢や撮影方向等の制限が少ないので、利用できる写真の範囲が広いのも特徴である。
【０００９】
また背板に透明板を使用する事で、写真の絵柄輪郭がより際立つ効果がある。
【図面の簡単な説明】
【００１０】
【図１】写真パネル製作工程の実施例である。（実施例１）
【図２】画像処理工程の実施例である。（実施例１）
【図３】切断工程の実施例である。（実施例１）
【図４】背景を切除した人形体の実施例である。（実施例１）
【図５】起立保持用支持台を設けた実施図である。（実施例２）
【図６】吊り下げ保持用の穴あきタブを設けた実施例である。（実施例２）
【図７】磁着保持用のマグネットを設けた実施例である。（実施例２）
【図８】自立用ベース板を設けた実施例である。（実施例３）
【図９】相似形輪郭線で切断形成した人形体の実施図である。（実施例４）
【発明を実施するための形態】
【００１１】
写真パネルから絵柄輪郭に忠実かつ微細に背景を切除するという目的を、イメージスキャナーとレーザー切断機を用いる事で実現した。
【実施例１】
【００１２】
図１〜図４は本発明の実施例の基本的な構成図であって、１は人物や動物等の写真、２は絵柄の輪郭、３は樹脂板又は厚紙からなる背板、４は写真を背板に貼付又は印刷した写真パネル、５は写真パネル輪郭、６はイメージスキャナー、７は画像加工ソフトを備えたパソコン、８は絵柄輪郭線データ、９は写真パネルの輪郭線データ、１０はレーザー切断機、１１はレーザー加工ヘッド、１２はレーザービーム、１３は位置決め治具、１４は写真パネルから切除された背景、１５は切り抜かれた人形体である。
【００１３】
図１は写真パネルの製作工程を説明した斜視図である。
写真１はプリント写真のほか、写真を粘着剤付シールに印刷したものでも良いし、写真画像をプリンターで直接厚紙に印刷しても良い。
この例では女性の正対写真であるが、顔の向きや身体の姿勢に制限は無く、横向きであっても良い。また多人数であっても良いし、人物に代えて動物でも良い。
【００１４】
前記写真１を樹脂板又は厚紙からなる背板３に貼付または印刷する。背板３は起立保持、又は吊り下げ保持、又は磁着保持に耐え、少なくとも１ミリ以上の厚みを有し写真１を貼付する際は両面テープ等で適宜行い、これを写真パネル４とする。
【００１５】
図２は画像処理工程を説明した斜視図である。
上記写真パネル４をイメージスキャナー６で電光走査してパソコン７で画像データに変換する。変換した画像データはパソコン７に備えたドローソフト等の画像加工ソフトで絵柄輪郭２を絵柄輪郭線データ８に変換する。
またこの時、写真パネル輪郭５を写真パネルの輪郭線データ９として変換しておき、レーザー切断機１０で絵柄輪郭２を切断する際の位置決めの基準線とする。
【００１６】
図３は切断工程を説明した斜視図である。
レーザー切断機１０は、印鑑彫刻や文字プレートの製作、各種模型製作等に利用されるＣＯ２レーザー切断機を用いる。この機種は極細のレーザービームによる微細な彫刻や切断に優れ、加工速度が速く比較的小型で非接触型の切断装置である。
【００１７】
レーザー切断機１０のレーザー加工ヘッド１１が、前記絵柄輪郭線データ８に沿ってＸＹ軸方向に作動し、レーザー加工ヘッド１１から直下方向に出力するレーザービーム１２によって材料を切断加工するので、このレーザービーム１２の動作軌跡と絵柄輪郭２の位置とを合致させる。
【００１８】
この位置決めには位置決め治具１３を使用し、予め試験材料等を写真パネルの輪郭線データ９で切断し、その切断位置にあわせて位置決め治具１３を固定すれば良い。
【００１９】
図４は切除した背景と切り取った人形体の斜視図である。
レーザー切断機１０で写真パネル４を絵柄輪郭線データ８に沿って切断し、背景１４を取り除いて絵柄輪郭２と同形の人形体１５を得る。
【実施例２】
【００２０】
図５〜図７は上記人形体に起立用支持台、吊り下げ用タブ片、磁着用マグネットを設けた実施例の説明図で、いずれも人形体の裏面から見た斜視図である。
【００２１】
図５は人形体脚部裏面の下部に、樹脂板又は厚紙からなるＬ字型の起立用の支持台１６を設けた実施例である。
【００２２】
図６は人形体頭部裏面の上端に、樹脂板又は厚紙からなり上部に吊り下げ穴を設けたタブ片１７を貼設した実施例である。
【００２３】
図７は人形体胴体部裏面の中央に、磁着用のマグネット１８を設けた実施例である。
【実施例３】
【００２４】
図８は図５に説明した起立支持の変形例を説明した斜視図である。
あらかじめ人形体の切断加工時に、人形体脚部下端に嵌合突起１７を形成しておく。樹脂板又は厚紙からなる自立用ベース板１８の中央部に嵌合穴１９を設け、嵌合突起１７と嵌合し人形体を起立保持する。
【実施例４】
【００２５】
実施例１で写真パネル４を絵柄輪郭２に沿って忠実に切断する際、例えば乱れた頭髪や飾りのついた衣服の様に非常に複雑な輪郭形状であった場合、写真パネルの形状が微細になり、パネル端部が欠損しやすい欠点がある。
実施例４ではこの点を回避する方法として、写真パネルを絵柄輪郭線より外側で切断する実施例について説明する。実施例４の主体はパネル欠損を補う方法にあるので、実施例１に説明された人形体の製作工程は省略する。
【００２６】
図９（イ）、（ロ）、（ハ）において、前記背板３の素材を樹脂板又は厚紙に代えて透明樹脂板とする。２は絵柄輪郭線、４は写真パネル、８は絵柄輪郭線データ、２０は絵柄輪郭線から外側にオフセットして作成した相似形輪郭線である。    
【００２７】
図９の（イ）は画像処理工程の説明図である。
前記パソコン７で絵柄輪郭線データ８の外側に２ミリ程度オフセットした相似形輪郭線２０を作成する。
あらかじめレーザー切断機１０を、背板３に貼付した写真のみを切断する設定Ａと、写真と背板を共に切断する設定Ｂの２段階に設定しておく。この制御はパソコン７で行う。
【００２８】
図９の（ロ）は切断工程を説明した斜視図である。
前記レーザー設定Ａで写真パネル４を絵柄輪郭２の位置で切断する。このとき人物絵柄と背景は分離されているが、共に背板に貼られた状態である。さらに前記レーザー設定Ｂで相似形輪郭線２０の位置を切断し、背景を背板と共に除去する。
【００２９】
図９の（ハ）は背景を除去した人形体の斜視図である。
切り取られた人形体の絵柄輪郭線２の外側の不要な写真片及び、両脚部の間の不要な写真片を、貼付に使った両面テープと共に剥がして背板３を露出させる。背板３の素材は透明樹脂板なので存在感が薄く絵柄輪郭２が際立つ効果がある。また脚部の間の狭隘な隙間の背板を切除する必要がないので、背板の強度が保たれ見栄えも良い。
【符号の説明】
【００３０】
１    人物や動物等の写真
２    絵柄輪郭
３    背板
４    写真を貼付又は印刷した写真パネル
５    写真パネル輪郭
６    イメージスキャナー
７    画像加工ソフトを備えたパソコン
８    絵柄輪郭線データ
９    写真パネルの輪郭線データ
１０  レーザー切断機
１１  レーザー加工ヘッド
１２  レーザービーム
１３  位置決め冶具
１４  写真パネルから切除された背景
１５  写真パネルから切り抜かれた人形体
１４  起立用支持台
１５  吊り下げ用タブ片
１６  磁着用マグネット
１７  嵌合突起
１８  自立用ベース板
１９  嵌合穴
２０  相似形輪郭線
【図１】
2011083299.tif 000003
【図２】
2011083299.tif 000004
【図３】
2011083299.tif 000005
【図４】
2011083299.tif 000006
【図５】
2011083299.tif 000007
【図６】
2011083299.tif 000008
【図７】
2011083299.tif 000009
【図８】
2011083299.tif 000010
【図９】
2011083299.tif 000011